(57)【要約】【課題】予め適合させた眼鏡フレームの測定した角膜／ブリッジ距離に基づき、連続的なプログレシッブ焦点レンズの視覚的且つ個別のプログレシッブ帯長を決定する方法が開示される。【解決手段】本発明は、次の工程を特徴とする。（ａ）予め適合させた眼鏡フレームの個別の角膜／ブリッジ距離（ＨＳＡ）値を得る工程と、（ｂ）遠位基準点ＢＦと中央点ＺＫ間の個別距離ｄを測定する工程と、（ｃ）次式を用いて、最適な個別のプログレシッブ帯長（Ｌｏｐｔ）を決定する工程とを有する。【数７】2004524587.tif 000009
【特許請求の範囲】
【請求項１】
少なくとも１つのプログレシッブ面を有するプログレシッブ眼鏡レンズの製造方法であって、前記少なくとも１つのプログレシッブ面を眼鏡レンズの角膜／ブリッジ距離などの個別データを考慮して計算するようにし、主線上の特定部分、特にいわゆる遠位基準点（ＢＦ）及び近位基準点（ＢＮ）にて、眼鏡レンズが眼鏡処方により予め決められたような特定の効果を有するようにしたプログレシッブ眼鏡レンズの製造方法において、
眼鏡レンズ装用者により選択され予め適合させた眼鏡フレームの個別の角膜／ブリッジ距離（ＨＳＡ）を測定する測定工程と、
予め適合させた眼鏡フレームの最適な個別のプログレシッブ帯長（ＬＯＰＴ）、つまり使用位置での垂直方向の遠位基準点と近位基準点間の距離を、次の関係式を用いて決定する決定工程と、
【数１】
2004524587.tif 000005
[式中、ＨＳＡは、角膜／ブリッジ距離を示し、
ｄ（ＢＦ，ＺＫ）は、遠位基準点と中心点間の距離を示す]
前記決定された個別のプログレシッブ帯長ＬＯＰＴが得られるように、前記眼鏡レンズのプログレシッブ面を計算する計算工程と、
計算されたデータに従って眼鏡レンズを製造する製造工程とからなることを特徴とするプログレシッブ眼鏡レンズの製造方法。
【請求項２】
【数２】
2004524587.tif 000006
特に、
【数３】
2004524587.tif 000007
であることを特徴とする請求項１記載のプログレシッブ眼鏡レンズの製造方法。
【請求項３】
ｄ（ＢＦ，ＺＫ）値を決定するために、遠位基準点ＢＦと眼の回転中心Ｚ′を通り眼鏡フレームの平面を通って水平に延びる直線（視野方向０°）の交点と中心点ＺＫとの間の個別の距離ｄを決定するようにすることを特徴とする請求項１記載のプログレシッブ眼鏡レンズの製造方法。
【請求項４】
最適な個別のプログレシッブ帯長（ＬＯＰＴ）値を決定する際に、更なる個別の値を考慮することを特徴とする請求項１乃至３のいずれか１項記載のプログレシッブ眼鏡レンズの製造方法。
【請求項５】
前記更なる個別の値は、眼鏡フレームの平面の前方傾斜角であることを特徴とする請求項４記載のプログレシッブ眼鏡レンズの製造方法。
【請求項６】
前記更なる個別の値は、プリズム及び該プリズムのベースと同様に、球面度数の作用、加入度、非点収差の作用、及び軸位置であることを特徴とする請求項４又は５記載のプログレシッブ眼鏡レンズの製造方法。
【請求項７】
前記角膜／ブリッジ距離ＨＳＡと個別のプログレシッブ帯長ＬＯＰＴとの間で表１のような関係があることを特徴とする請求項１乃至６のいずれか１項記載のプログレシッブ眼鏡レンズの製造方法。
【表１】
2004524587.tif 000008
【請求項８】
眼鏡レンズ、特にプログレシッブ面が使用位置で計算されることを特徴とする請求項１乃至７のいずれか１項記載のプログレシッブ眼鏡レンズの製造方法。
【発明の詳細な説明】
【技術分野】
【０００１】
本発明は、予め適合させた眼鏡フレームの角膜／ブリッジ距離の測定に基づき、連続的なプログレシッブ焦点レンズの最適且つ個別のプログレシッブ帯長を決定する方法に関するものである。
【背景技術】
【０００２】
実際、大抵のレンズメーカーは、連続的なプログレシッブ焦点レンズのプログレシッブ帯長Ｌとして約２２ｍｍの製品依存標準値を用いている。
【０００３】
特にレンズ高が低い眼鏡フレームに対しては、より短いプログレシッブ帯長、場合によっては１４ｍｍほどのプログレシッブ帯長を追加的に提供しているメーカーもある。
【発明の開示】
【発明が解決しようとする課題】
【０００４】
しかしながら、従来、予め適合させた眼鏡フレームの角膜／ブリッジ距離（ＨＳＡ）を考慮して連続的なプログレシッブ焦点レンズのプログレシッブ帯長を特定する方法は知られていない。
【０００５】
２２ｍｍの標準的なプログレシッブ帯長は、角膜／ブリッジ距離が所定の平均値（１５ｍｍ）よりも大きかったり小さかったりすると、直ちに不利なものとなり、経験上決まった使用位置に基づいた眼球の回転中心の前に眼鏡レンズがもはや位置しなくなってしまう。また、このことは、選択した眼鏡フレーム及び／又は異なる使用状況によってより短いプログレシッブ帯長を用いなければならない際にも当てはまる。
【０００６】
このような２２ｍｍの一定のプログレシッブ帯長は、経験上決まった使用位置に基づき、平均ＨＳＡが１５ｍｍの場合にだけ最適である。これよりも小さなＨＳＡの場合には、視線をさらに下方に下げねばならず、一方、ＨＳＡがより大きい場合には、視野の偏向の減少とともに近位基準点に達する。
【０００７】
経験値に基づくと、読書時には、視線を水平方向の視野の偏向に対して約３２°下げるものである（これは大抵のユーザーにとって一般的に認められる値であると分かっている）。仮に、エンドユーザーにより選ばれた眼鏡フレームに基づき、ＨＳＡが標準ＨＳＡと異なる場合、十分な加入度を達成し或いは近位基準点ＢＮを通して見るための視野の偏向は、もはや経験上決まった使用位置に対応しない。このため、連続的なプログレシッブ焦点レンズの装用者は、頭を不快な位置に保持したり、眼を不快な仕方で移動する必要が生じることがある。具体的には、ＨＳＡが比較的小さい（例えば、１０ｍｍ）場合、装用者は、頭又は目を下げなければならず（これが完全に可能であれば）、一方、ＨＳＡがより大きい（例えば、２０ｍｍ）場合、装用者は、頭又は目を不自然に上げなければならない。
【０００８】
そこで、本発明は、予め適合させた眼鏡フレームの測定した角膜／ブリッジ距離、あるいは例えば眼鏡フレームにより決まるＨＳＡ測定値やより短いプログレシッブ帯長に起因する矛盾に基づいて、連続的なプログレシッブ焦点レンズの最適且つ個別のプログレシッブ帯長を決定可能とする方法を特定することを目的とする。
【課題を解決するための手段】
【０００９】
本発明の目的は、請求項１に記載の方法により達成され、本発明は、以下に示すような工程を特徴とする。
【００１０】
本発明の方法は、
（ａ）予め適合させた眼鏡フレームの個別の角膜／ブリッジ距離（ＨＳＡ）値を得る工程と、
【００１１】
（ｂ）遠位基準点ＢＦと中央点ＺＫ間の個別距離ｄを測定する工程と、
【００１２】
（ｃ）次式を用いて、最適な個別のプログレシッブ帯長（Ｌｏｐｔ）を決定する工程とからなる。
【００１３】
【数４】
2004524587.tif 000002
【００１４】
上記１３．５ｍｍの値は、プログレシッブ帯長を最初に述べた標準的なプログレシッブ帯長値の２２ｍｍよりも短くするような場合には変更可能である。
【００１５】
このように決定されたプログレシッブ帯長は、レンズメーカーに報告され、その後、レンズメーカーがこの個別のプログレシッブ帯長を有する連続的なプログレシッブ焦点レンズを計算し製造することになる。
【発明を実施するための最良の形態】
【００１６】
特に、この計算過程は、次のようになる。
【００１７】
まず、一定のプログレシッブ帯長において、３つの異なるＨＳＡに対応し眼の回転中心Ｚ′前にある、眼鏡レンズの異なる３箇所の位置を考慮する。
【００１８】
眼鏡フレームの平面の前方傾斜角は、例えば０°であり、眼の回転中心と角膜頂点間のＤＩＮ距離は、１３．５ｍｍである。ここで、ＢＦは、遠位基準点を示し、ＢＮは、近位基準点を示す。プログレシッブ帯長Ｌは、ＢＦとＢＮ間の距離を示し、ＺＫは、（ＤＩＮ及びＩＳＯによる）中心点を示す。
【００１９】
本発明によれば、最適な個別のプログレシッブ帯長を次の関係を用いて計算する。
【００２０】
近位基準点での読書に最適な中心点ＺＫと近位基準点ＢＮ間の視野角αは、プログレシッブ帯長２２ｍｍ及びＨＳＡ１５ｍｍの状態で、経験上決められた使用位置に基づき、約３２．３°に対応する。
【００２１】
【数５】
2004524587.tif 000003
【００２２】
この場合、１３．５ｍｍは、眼の回転中心から角膜頂点までのＤＩＮ又はＩＳＯ距離である。さらに、次式を参照せよ。
【００２３】
【数６】
2004524587.tif 000004
【００２４】
予め適合させた眼鏡フレーム用のＨＳＡ測定値を上記式に代入すると、連続的なプログレシッブ焦点レンズの最適な個別のプログレシッブ帯長が得られる。
【００２５】
仮に、ＺＫとＢＦ間の距離が４ｍｍの場合、ＨＳＡが２０ｍｍに対して、１８．８ｍｍの最適なプログレシッブ帯長が得られる。これは、明らかに個別のプログレシッブ帯長と２２ｍｍの標準プログレシッブ帯長との間の大きな相違を示している。
【００２６】
加えて、連続的なプログレシッブ焦点レンズの個別的な計算においては、眼鏡フレームの平面の前方傾斜角および眼鏡レンズの強度（球面度数、円柱度数、軸度、プリズム、ベース）を考慮することができる。
【国際公開パンフレット】
2004524587.tif 000010
2004524587.tif 000011
2004524587.tif 000012
2004524587.tif 000013
2004524587.tif 000014
2004524587.tif 000015
2004524587.tif 000016
2004524587.tif 000017
2004524587.tif 000018
【国際公開パンフレット（コレクトバージョン）】
2004524587.tif 000019
【国際調査報告】
2004524587.tif 000020
2004524587.tif 000021
2004524587.tif 000022
2004524587.tif 000023